(57)【特許請求の範囲】
【請求項１】
複数の表示対象物の画面表示を行なわせる表示制御装置であって、
前記複数の表示対象物それぞれに対応付けられている画面表示における重要度に関する情報として前記表示対象物の画面表示時における選択履歴に関する情報を取得する重要度情報取得部と、
前記重要度情報取得部にて取得された情報に基づいて、選択頻度が高い表示対象物ほど重要度が高いものと判定する重要度判定部と、
前記重要度情報取得部にて取得された情報に基づき前記重要度判定部にて判定された重要度に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる制御部と
を備えてなる表示制御装置。
【請求項２】
請求項１に記載の表示制御装置において、
前記制御部は、前記略環状の領域内で表示させる複数の表示対象物の内、重要度が高い表示対象物ほど、前記略環状の領域内における該領域の中央位置よりも上方に位置する所定位置を起点として、前記略環状の領域内における時計回り方向上流側に位置するように表示させる表示制御装置。
【請求項３】
請求項１に記載の表示制御装置において、
ユーザを識別するための識別情報を取得する識別情報取得部を備え、
前記重要度情報取得部は、前記識別情報取得部にて取得された識別情報に対応するユーザの前記選択履歴に関する情報を取得するものであり、
前記制御部は、前記識別情報取得部にて取得された識別情報によるログイン時に、前記重要度判定部にて該識別情報に対応するユーザの選択履歴から判定された重要度に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる表示制御装置。
【請求項４】
請求項１に記載の表示制御装置において、
前記表示対象物は、前記複数の略環状の領域それぞれに対応づけられているグループの内いずれか１つに属するものであり、
前記重要度情報取得部は、前記表示対象物が属するグループに関する情報を取得するものであり、
前記制御部は、前記重要度情報取得部にて取得された情報に基づいて、内側に位置する略環状の領域に対応付けられているグループに属する表示対象物ほど重要度が高いものとして、前記複数の略環状の領域それぞれに対して、各領域に対応付けられているグループに属する表示対象物を表示させる表示制御装置。
【請求項５】
請求項４に記載の表示制御装置において、
前記重要度情報取得部にて取得された情報に基づいて、選択頻度が所定の閾値を越える表示対象物を、該表示対象物が属するグループが対応付けられている略環状の領域よりも内側の領域に対応付けられているグループに移動させるグループ管理部を備える表示制御装置。
【請求項６】
請求項１に記載の表示制御装置において、
前記略環状の領域は略円環状の領域である表示制御装置。
【請求項７】
請求項４に記載の表示制御装置において、
前記略環状の領域は多角形状の輪郭を有する環状領域であり、
前記制御部は、前記略環状の領域における角部分の間に位置する辺部分の領域毎に異なるグループに属する表示対象物が位置するように表示させる表示制御装置。
【請求項８】
請求項１に記載の表示制御装置において、
前記略環状の領域は多角形状の輪郭を有する環状領域であり、
前記制御部は、前記略環状の領域における角部分に予め設定された所定の表示対象物が位置するように表示させる表示制御装置。
【請求項９】
請求項１に記載の表示制御装置において、
任意の表示対象物の前記略環状の領域内における表示位置を設定する表示設定部を備え、
前記制御部は、前記表示設定部にて表示位置が設定された表示対象物については、前記略環状の領域内における当該設定位置に表示させる表示制御装置。
【請求項１０】
請求項１に記載の表示制御装置において、
前記制御部は、前記表示領域が、画面における中央位置よりも左側および上側のうち少なくとも一方の側に位置するように表示させる表示制御装置。
【請求項１１】
請求項１に記載の表示制御装置において、
前記表示対象物は、文字およびアイコンの内少なくともいずれかを含む表示制御装置。
【請求項１２】
請求項１乃至請求項１１のいずれか１項に記載の表示制御装置と、
前記表示制御装置による表示内容に基づくユーザの操作入力を受け付ける操作入力部と、
前記操作入力部にて受け付けた入力に基づいて、所定の画像処理を行う画像処理部と
を備えてなる画像処理装置。
【請求項１３】
複数の表示対象物の画面表示を行なわせる表示制御方法であって、
前記複数の表示対象物それぞれに対応付けられている画面表示における重要度に関する情報として前記表示対象物の画面表示時における選択履歴に関する情報を取得する重要度情報取得ステップと、
前記重要度情報取得ステップにて取得された情報に基づいて、選択頻度が高い表示対象物ほど重要度が高いものと判定する重要度判定ステップと、
前記重要度情報取得ステップにて取得された情報に基づき前記重要度判定ステップにて判定された重量度に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる制御ステップと
を備えてなる表示制御方法。
【請求項１４】
請求項１３に記載の表示制御方法において、
前記制御ステップは、前記略環状の領域内で表示させる複数の表示対象物の内、重要度が高い表示対象物ほど、前記略環状の領域内における該領域の中央位置よりも上方に位置する所定位置を起点として、前記略環状の領域内における時計回り方向上流側に位置するように表示させる表示制御方法。
【請求項１５】
請求項１３に記載の表示制御方法において、
ユーザを識別するための識別情報を取得する識別情報取得ステップを備え、
前記重要度情報取得ステップは、前記識別情報取得ステップにて取得された識別情報に対応するユーザの前記選択履歴に関する情報を取得するものであり、
前記制御ステップは、前記識別情報取得ステップにて取得された識別情報によるログイン時に、前記重要度判定ステップにて該識別情報に対応するユーザの選択履歴から判定された重要度に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる表示制御方法。
【請求項１６】
請求項１３に記載の表示制御方法において、
前記表示対象物は、前記複数の略環状の領域それぞれに対応づけられているグループの内いずれか１つに属するものであり、
前記重要度情報取得ステップは、前記表示対象物が属するグループに関する情報を取得するものであり、
前記制御ステップは、前記重要度情報取得ステップにて取得された情報に基づいて、内側に位置する略環状の領域に対応付けられているグループに属する表示対象物ほど重要度が高いものとして、前記複数の略環状の領域それぞれに対して、各領域に対応付けられているグループに属する表示対象物を表示させる表示制御方法。
【請求項１７】
請求項１６に記載の表示制御方法において、
前記重要度情報取得ステップにて取得された情報に基づいて、選択頻度が所定の閾値を越える表示対象物を、該表示対象物が属するグループが対応付けられている略環状の領域よりも内側の領域に対応付けられているグループに移動させるグループ管理ステップを備える表示制御方法。
【請求項１８】
請求項１３に記載の表示制御方法において、
前記略環状の領域は略円環状の領域である表示制御方法。
【請求項１９】
請求項１６に記載の表示制御方法において、
前記略環状の領域は多角形状の輪郭を有する環状領域であり、
前記制御ステップは、前記略環状の領域における角部分の間に位置する辺部分の領域毎に異なるグループに属する表示対象物が位置するように表示させる表示制御方法。
【請求項２０】
請求項１３に記載の表示制御方法において、
前記略環状の領域は多角形状の輪郭を有する環状領域であり、
前記制御ステップは、前記略環状の領域における角部分に予め設定された所定の表示対象物が位置するように表示させる表示制御方法。
【請求項２１】
請求項１３に記載の表示制御方法において、
任意の表示対象物の前記略環状の領域内における表示位置を設定する表示設定ステップを備え、
前記制御ステップは、前記表示設定ステップにて表示位置が設定された表示対象物については、前記略環状の領域内における当該設定位置に表示させる表示制御方法。
【請求項２２】
請求項１３に記載の表示制御方法において、
前記制御ステップは、前記表示領域が、画面における中央位置よりも左側および上側のうち少なくとも一方の側に位置するように表示させる表示制御方法。
【請求項２３】
請求項１３に記載の表示制御方法において、
前記表示対象物は、文字およびアイコンの内少なくともいずれかを含む表示制御方法。
【発明の詳細な説明】
【技術分野】
【０００１】
本発明は、文字やアイコン等の表示対象物を画面表示するインターフェース画面に関し、特にインターフェース画面における表示対象物の表示制御技術に関するものである。
【背景技術】
【０００２】
従来、文字やアイコン等の表示対象物を画面表示するインターフェース画面を有する装置において、複数の設定項目に対応した複数のアイコン等を画面上の縦方向あるいは横方向にレイアウトする技術が知られる。
【０００３】
また、このようにアイコン等を画面表示する場合に、複数のアイコンの配置等をカスタマイズする技術が知られる（例えば、特許文献１〜３参照。）。
【特許文献１】特開２００５−１０２００１号公報
【特許文献２】特開平１１−１１０１８２号公報
【特許文献３】特開平６−１７５８１３号公報
【発明の開示】
【発明が解決しようとする課題】
【０００４】
しかし、装置１台毎のインターフェース画面のカスタマイズ機能はあっても、各ユーザが個別にレイアウト／機能カスタマイズを行なうことはできず、各ユーザは提供されたデフォルト画面に従わなければならない。
【０００５】
また、近年のインターフェース画面は、その高機能化に伴なって設定内容も複雑化してきており、一人一人のユーザが個別にインターフェース画面の設定作業を行なうと手間と時間が膨大にかかってしまい、利便性の観点から好ましくない。また、従来のインターフェース画面におけるアイコン等の配置は、必ずしも重要な項目を示すアイコン等の視認性や検索性が良いとは限らず、目的とするアイコン等の表示対象物を探すのに手間がかかる場合があった。
【０００６】
本発明は上述した問題点を解決するためになされたものであり、アイコン等の複数の表示対象物を画面上の適切な位置に配置し、ユーザの利便性の向上に寄与することのできる技術を提供することを目的とする。
【課題を解決するための手段】
【０００７】
上述した課題を解決するため、本発明に係る表示制御装置は、複数の表示対象物の画面表示を行なわせる表示制御装置であって、前記複数の表示対象物それぞれに対応付けられている画面表示における重要度に関する情報を取得する重要度情報取得部と、前記重要度情報取得部にて取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる制御部とを備えてなることを特徴とするものである。
【０００８】
また、本発明に係る画像処理装置は、上述のような構成の表示制御装置と、前記表示制御装置による表示内容に基づくユーザの操作入力を受け付ける操作入力部と、前記操作入力部にて受け付けた入力に基づいて、所定の画像処理を行う画像処理部とを備えてなることを特徴とするものである。
【０００９】
また、本発明に係るインターフェース画面は、画面上に表示された入力部にて操作入力を受け付けるインターフェース画面であって、第１番目〜第ｎ番目(ｎは、２以上の整数)の複数の略環状の領域から構成される環状領域部であって、第ｘ−１番目(ｘは、２〜ｎの整数)の領域が第ｘ番目の領域の内側に位置する環状領域部と、ユーザの操作入力を受け付ける複数の入力部であって、前記複数の略環状の領域内に対して、前記第ｘ−１番目の領域内には、第ｘ番目の領域内に配置させる入力部よりも選択頻度が高い入力部が位置するように配置される複数の入力部とを備えてなることを特徴とするものである。
【００１０】
また、本発明に係る表示制御方法は、複数の表示対象物の画面表示を行なわせる表示制御方法であって、前記複数の表示対象物それぞれに対応付けられている画面表示における重要度に関する情報を取得する重要度情報取得ステップと、前記重要度情報取得ステップにて取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる制御ステップとを備えてなることを特徴とするものである。
【発明の効果】
【００１１】
以上に詳述したように本発明によれば、アイコン等の複数の表示対象物を画面上の適切な位置に配置し、ユーザの利便性の向上に寄与することのできる技術を提供することができる。
【発明を実施するための最良の形態】
【００１２】
以下、本発明の実施の形態について図面を参照しつつ説明する。図１は、本実施の形態による表示制御装置２およびインターフェース画面１０１を備えた画像処理装置１の概要について説明するための外観斜視図である。ここでは、一例として、画像処理装置１がＭＦＰ（Multi Function Peripheral）である例を挙げる。
【００１３】
本実施の形態による画像処理装置１は、インターフェース画面１０１、ＡＤＦ（Auto Document Feeder）１０２、画像読取部１０３、手差し給紙部１０４、給紙カセット１０５、画像形成部１０６、認証処理部１０７および表示制御装置２を備えてなる構成となっている。
【００１４】
以下、本実施の形態による画像処理装置１の動作について簡単に説明する。画像処理装置１にてコピー処理（所定の画像処理）を行う場合、まず認証処理部１０７にてユーザの認証処理が行われる。続いて、認証処理に成功したユーザによるインターフェース画面１０１への操作入力に基づいて、ＡＤＦ１０２にセットされた原稿が画像読取部（画像処理部）１０３による原稿読取位置に対して自動搬送される。このようにして搬送された原稿は、画像読取部１０３にて画像を読み取られる。そして、インターフェース画面１０１への操作入力に基づいて選択された給紙方法により、給紙カセット１０５および手差し給紙部１０４の内いずれか一方により給紙動作が行なわれる。給紙された用紙は、画像形成部（画像処理部）１０６に搬送され、画像読取部１０３にて読み取られた画像に基づく画像形成処理が施され、コピー処理が完了する。
【００１５】
なお、インターフェース画面１０１は、例えばタッチパネルディスプレイから構成されており、インターフェース画面１０１における表示内容に基づくユーザの操作入力を受け付ける操作入力部としての役割も有している。
【００１６】
続いて、表示制御装置２について詳細に説明する。表示制御装置２は、文字やアイコン等の複数の表示対象物をインターフェース画面１０１上に画面表示させる役割を有している。なお、ここでの「文字」には「記号」が含まれ、「アイコン」には「図形」が含まれるものとする。
【００１７】
図２は、本実施の形態による表示制御装置２について説明するための機能ブロック図である。本実施の形態による表示制御装置２は、表示設定部２０１、識別情報取得部２０２、重要度情報取得部２０３，グループ管理部２０４、重要度判定部２０５、制御部２０６、ＣＰＵ８０１およびＭＥＭＯＲＹ８０２を備えてなる構成となっている。
【００１８】
識別情報取得部２０２は、認証処理部１０７における認証処理にて取得されたユーザＩＤ等のユーザを識別するための識別情報を取得する。認証処理部１０７における認証処理は、例えば認証処理部１０７が備えるアンテナによりユーザが所有する非接触ＩＣカードに記憶されたユーザＩＤを読み取ることにより行なわれる。もちろん、認証処理部１０７における識別情報の取得は、非接触ＩＣカードの読み取りに限られず、例えばキー入力やバイオメトリクス認証における指紋や声紋等の生体情報の入力によって取得されるようにしてもよい。
【００１９】
重要度情報取得部２０３は、インターフェース画面１０１上に画面表示させるべきアイコン等の複数の表示対象物それぞれに対応付けられている画面表示における重要度に関する情報を取得する。具体的に、重要度情報取得部２０３は、識別情報取得部２０２にて取得された識別情報に対応するユーザの、上記表示対象物の画面表示時における選択履歴（いわゆる操作ログ）に関する情報をＭＥＭＯＲＹ８０２から取得する。
【００２０】
また、本実施の形態においてインターフェース画面１０１上に画面表示させるべき複数のアイコン等は、予めいくつかのグループに分けられている場合がある。この場合、重要度情報取得部２０３は、表示対象物が属するグループに関する情報（グループ名やグループ識別番号等）をＭＥＭＯＲＹ８０２から取得する。
【００２１】
重要度判定部２０５は、重要度情報取得部２０３にて取得された情報に基づいて、選択頻度が高い表示対象物ほど当該ユーザに対しての「画面表示における重要度」が高いものと判定する。図３は、重要度情報取得部２０３にて取得される複数の表示対象物それぞれの選択頻度を示す情報と、当該選択頻度を示す情報に基づいて重要度判定部２０５にて判定された重要度を示す図である。なお、図３では、表示対象物の選択頻度として、月当りの選択頻度を採用しているが、これに限られるものではなく、例えば１年当りの選択頻度や画像処理装置１における通算の選択回数を用いてもよい。また、ユーザＩＤに基づいて、当該ユーザＩＤでのログイン時に選択された頻度を、その選択場所が画像処理装置であるかＰＣであるかを問わず記録しておき、選択頻度の指標として用いることもできる。
【００２２】
制御部２０６は、識別情報取得部２０２にて取得された識別情報によるログイン時に、重要度判定部２０５にて該識別情報に対応するユーザの選択履歴から判定された重要度に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる。
【００２３】
図４は、制御部２０６によるインターフェース画面１０１の表示例である。同図に示すインターフェース画面１０１では、第１番目の円環状領域９０１〜第３番目の円環状の領域から構成される表示領域（環状領域部に相当）が表示されている。ここでは、第１番目の円環状領域９０１が第２番目の円環状領域９０２の内側に位置し、第２番目の円環状領域９０２が第３番目の円環状領域９０３の内側に位置している。
【００２４】
また、制御部２０６は、重要度判定部２０５にて判定された図３に示すような判定結果に基づいて、アイコン７０１〜アイコン７１８を、第１番目の円環状領域９０１〜第３番目の円環状領域９０３に対して配置して表示させる。ここでは、第１番目の円環状領域９０１〜第３番目の円環状領域９０３には、それぞれグループ１〜グループ３が対応付けられており、グループ１にはアイコン７０１〜アイコン７０７が属しており、グループ２にはアイコン７０８〜アイコン７１５が属しており、グループ３にはアイコン７１６〜アイコン７１８が属している。なお、あるグループに属することのできるアイコンの数は、そのグループが対応付けられている円環状領域に配列可能なアイコン数によって決定される。
【００２５】
制御部２０６は、重要度情報取得部２０３にて取得された情報に基づいて、内側に位置する円環状領域に対応付けられているグループに属するアイコンほど重要度が高いものとして、複数の円環状の領域それぞれに対して、各領域に対応付けられているグループに属する表示対象物を表示させる。このように、表示対象物が円環状領域に対応付けられたグループに属している場合、どのグループに属しているかが、その表示対象物の重要度を示すことになる。
【００２６】
この他、表示対象物が属するグループとは関係なく、各円環状領域に配列可能なアイコン数を設定し、内側の円環状領域に収まりきらないアイコンをその円環状領域の外側の円環状領域に配置するようにすることもできる。
【００２７】
また、制御部２０６は、重要度情報取得部２０３にて取得される情報が、直接的に重要度を示すことができるような情報である場合には、重要度判定部２０５による判定を行なうことなく、表示対象物の表示処理を行うことも可能である。
【００２８】
このように、高い重要度が対応付けられている表示対象物ほど内側の環状領域に表示させるようにすることで、注目させたい表示対象物や重要な表示対象物を画面上の特定のエリアに集中させることができる。特に、ユーザによる表示対象物の選択頻度に基づいて重要度を決定することにより、ユーザが頻繁に選択する表示対象物を注目しやすい位置に表示させることができ、ユーザの使い勝手の向上に寄与することができる。
【００２９】
また制御部２０６は、図４に示すように、略環状の領域内で表示させる複数の表示対象物の内、重要度が高い表示対象物ほど、略環状の領域内における該領域の中央位置よりも上方に位置する所定位置を起点として、略環状の領域内における時計回り方向上流側に位置するようにインターフェース画面を表示させている。このように、表示対象物を重要なものから時計回り方向に配列するように表示させることにより、環状に物が配置されている場合に時計回りに物を観察してゆく人間の習性を利用して、重要な表示対象物ほどユーザの注意を惹きやすい配置にすることができる。なお、図３に示す例では、円環状領域９０２に対応付けられたグループ２に属するアイコン７１４とアイコン７１５の月当りの選択頻度が同数となっている。このような場合には、予めいずれのアイコンを重要とするかを定めておくことにより、アイコンの配列順序を決定するようになっている。
【００３０】
上述のように、複数の円環状領域からなる環状領域部と、ユーザの操作入力を受け付ける複数のアイコン（入力部）７０１〜７１８により、本実施の形態によるインターフェース画面が構成される。
【００３１】
グループ管理部２０４は、重要度情報取得部２０３にて取得された情報に基づいて、選択頻度が所定の閾値を越える表示対象物を、該表示対象物が属するグループが対応付けられている略環状の領域よりも内側の領域に対応付けられているグループに移動させる。これにより、選択頻度の高い表示対象物ほど表示領域の中央位置により近づけるように配置することができ、ユーザが頻繁に選択する表示対象物を注目しやすい位置に表示させることができ、ユーザによってより操作し易いインターフェース画面へと変化させてゆくことができる。
【００３２】
図５は、表示対象物の所属グループを選択頻度に応じて変更する例を示す図である。同図に示すように、図３の場合に比べて選択頻度が１９回／月に上がったアイコン７０８の所属グループをグループ１に移動させている。ここでの所定の閾値は「１８回／月」である。一方、アイコン７０７については、図３の場合に比べて選択頻度が１７回／月に落ちているため、所属グループをグループ２に移動させている。図６は、図５のように変更されたグルーピングに基づいてインターフェース画面を表示させた例を示す図である。
【００３３】
表示設定部２０１は、ユーザの操作入力に基づいて、インターフェース画面１０１にて画面表示させるべきアイコンや文字等の複数の表示対象物のうち任意の表示対象物の、円環状領域内における表示位置を設定する。制御部２０６は、表示設定部２０１にて表示位置が設定された表示対象物については、略環状の領域内における当該設定位置に表示させるようになっている。
【００３４】
これによれば、任意の表示対象物を常に環状領域内の任意の位置に表示させることが可能となり、使用頻度やグルーピングに拘らず、常に特定の位置に表示させておきたいアイコンなどを当該特定位置に表示させることができる。これによって、様々な機能に対応するアイコンの位置を場所で覚えているユーザや、アイコン位置を覚えて作業を行なう場合が多い目の不自由なユーザの利便性を確保することができる。
【００３５】
また制御部２０６は、上述のような円環状の表示領域が、画面における中央位置よりも左側および上側のうち少なくとも一方の側に位置するように表示させる。一般に、ユーザインターフェースを設計する際には、重要度の高いものは左側あるいは上側に配置し、重要度の低いものは右側あるいは下側に配置するという原則がある。よって、この原則に則って表示対象物を画面上に配列することが好ましい。すなわち、表示領域全体を画面上の中央位置よりも左側、上側、あるいは左上側に配置することにより、必然的に重要度の高い表示対象物が画面上の中央位置よりも左側、上側、あるいは左上側に位置することになり、外側の環状領域に配置されている重要度の低い表示対象物が画面上の中央位置よりも右側、下側、あるいは右下側に位置することになる。これにより、ユーザインターフェースの一般的な設計原則に則った（ユーザにとって自然な）表示対象物の配列とすることができ、ユーザの操作性の向上に寄与することができる。
【００３６】
また、上述の環状の領域は、必ずしも完全な環を形成している必要はなく、環の一部が欠けているような形状（略環状）であってもよい（図４および図６参照）。すなわち、隣接する略環状の領域間において何れが内側に位置する領域であるかが認識できる程度に内側の領域を囲むことができる形状であればよい。
【００３７】
また、上述の環状の領域は、環状領域の中心からの半径によってアイコンの重要度を容易に把握することができるため「円環状」であることが好ましいが、必ずしもこれに限られるものではなく、図７に示すように、例えば多角形状の輪郭を有する環状領域であってもよい。また、隣接して配置される複数の環状領域は、全てが近似する形状の輪郭を有する必要はなく、同図に示すように異なる輪郭を有する環状領域の組合わせであってもよい。
【００３８】
このような多角形状の輪郭を有する環状領域の場合、角部分に視覚的な意味合いをもたせることが可能になる。そこで、制御部２０６は、多角形状の輪郭を有する環状領域の場合には、略環状の領域における角部分の間に位置する辺部分の領域毎に異なるグループ（図７の例では、アイコン７０９〜７１１と、アイコン７１３〜７１４とが異なるグループに属することになる。）に属する表示対象物が位置するように表示させる。
【００３９】
また、上述と同様に、制御部２０６は、多角形状の輪郭を有する環状領域の場合には、略環状の領域における角部分に予め設定された所定の表示対象物が位置するように表示させる。このように、多角形の角部分のように目立つ位置に特定のアイコンを配置することにより、当該特定のアイコンへの注目度を高めることが可能となる。
【００４０】
ＣＰＵ８０１は、画像処理装置１および表示制御装置２における各種処理を行う役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像処理装置１および表示制御装置２において利用される種々の情報やプログラムを格納する役割を有している。
【００４１】
図８は、本実施の形態による表示制御装置における処理（表示制御方法）の流れについて説明するためのフローチャートである。
【００４２】
識別情報取得部２０２は、ユーザを識別するための識別情報を取得する（識別情報取得ステップ）（Ｓ１０１）。
【００４３】
重要度情報取得部２０３は、複数の表示対象物それぞれに対応付けられている画面表示における重要度に関する情報として、識別情報取得ステップにて取得された識別情報に対応するユーザの選択履歴（表示対象物の画面表示時における選択履歴）に関する情報をＭＥＭＯＲＹ８０２から取得する（重要度情報取得ステップ）（Ｓ１０２）。また、重要度情報取得部２０３は、表示対象物がグループに属している場合、その表示対象物が属するグループに関する情報をＭＥＭＯＲＹ８０２から取得する。
【００４４】
グループ管理部２０４は、重要度情報取得ステップにて取得された情報に基づいて、選択頻度が所定の閾値を越える表示対象物を、該表示対象物が属するグループが対応付けられている略環状の領域よりも内側の領域に対応付けられているグループに移動させる（グループ管理ステップ）（Ｓ１０３）。
【００４５】
重要度判定部２０５は、重要度情報取得ステップにて取得された情報に基づいて、選択頻度が高い表示対象物ほど重要度が高いものと判定する（重要度判定ステップ）（Ｓ１０４）。
【００４６】
制御部２０６は、識別情報取得ステップにて取得された識別情報によるログイン時に、重要度判定ステップにて該識別情報に対応するユーザの選択履歴から判定された重要度に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させる（制御ステップ）（Ｓ１０５）。なお、ここでの「ログイン時」とは、インターフェース画面１０１に表示させるべき上記表示対象物を画面表示させるために必要なログインを行なっている状態を意味する。よって、ログインの対象は、画像処理装置１に限られるものではなく、画像処理装置１の利用を可能とするためのネットワークへのログインであってもよい。また、制御ステップでは、略環状の領域内で表示させる複数の表示対象物の内、重要度が高い表示対象物ほど、略環状の領域内における該領域の中央位置よりも上方に位置する所定位置を起点として、略環状の領域内における時計回り方向上流側に位置するように表示させる。
【００４７】
また、制御部２０６は、重要度情報取得ステップにて取得された情報が、直接的に表示対象物の重要度を示すようなものである場合には、当該取得された情報に基づいて、第１番目〜第ｎ番目(ｎは、２以上の整数)の複数の略環状の領域から構成される表示領域であって、第ｘ−１番目(ｘは、２〜ｎの整数)の領域が第ｘ番目の領域の内側に位置する表示領域に対して、第ｘ−１番目の領域内に第ｘ番目の領域内に表示させる表示対象物よりも重要度が高い表示対象物を表示させるようにすることもできる。
【００４８】
また、制御部２０６は、重要度情報取得ステップにて取得された情報に基づいて、内側に位置する略環状の領域に対応付けられているグループに属する表示対象物ほど重要度が高いものとして、複数の略環状の領域それぞれに対して、各領域に対応付けられているグループに属する表示対象物を表示させる。
【００４９】
なお、図８に示すフローチャートでは、一例としてグループ管理ステップ（Ｓ１０３）が重要度判定ステップ（Ｓ１０４）に先立って行なわれている例を示しているが、グループ管理ステップ（Ｓ１０３）の実行タイミングはこれに限られるものではなく、例えば制御ステップ（Ｓ１０５）の後に実行させ、次回の制御ステップの実行時の画面表示にグループ管理ステップでの処理結果を反映させることもできる。
【００５０】
上述の表示制御装置２での処理における各ステップは、ＭＥＭＯＲＹ８０２に格納されている表示制御プログラムをＣＰＵ８０１に実行させることにより実現されるものである。
【００５１】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００５２】
なお、本実施の形態では、説明の便宜上、グループ管理部２０４および表示設定部２０１により設定する情報を格納する記憶領域と、重要度情報取得部２０３、重要度判定部２０５および制御部２０６により情報を読み出す記憶領域とがＭＥＭＯＲＹ８０２により実現されている（ＭＥＭＯＲＹ８０２に必要とする情報が格納されている）例を示したが、例えば画像処理装置１の外部に配置されたデータベース等によって上記記憶領域を実現するようにしてもよい。すなわち、上記記憶領域は、グループ管理部２０４、表示設定部２０１、重要度情報取得部２０３、重要度判定部２０５および制御部２０６との情報のやり取りが行なえる状態にあればよく、その配置場所は問わない。
【００５３】
また、本実施の形態では、各ユーザのユーザＩＤ等に対応付けて記憶されている表示対象物の選択履歴を取得して表示対象物の配置の順序の決定に用いる構成を示したが、例えば、ユーザ個々人よりもユーザが属する部署毎にアイコン選択の頻度に特徴があるような場合には、ユーザ認証に基づいて得られるユーザＩＤに基づいて当該ユーザが所属する部署のＩＤを取得し、当該部署ＩＤに対応付けて格納されている当該部署に属するユーザ全員によるアイコンの選択履歴情報を用いるようにすることもできる。
【００５４】
また、本実施の形態では、画像処理装置１がＭＦＰである例を挙げたが、これに限られるものではなく、プリンタ、スキャナ、ＰＣ（Personal Computer）およびＭＭＫ（Multi Media Kiosk）等のように、画像形成処理、画像読取処理、画像編集処理および撮像処理といった所定の画像処理を行う装置であれば適用可能であることは言うまでもない。
【００５５】
本発明を特定の態様により詳細に説明したが、本発明の精神および範囲を逸脱しないかぎり、様々な変更および改質がなされ得ることは、当業者には自明であろう。
【図面の簡単な説明】
【００５６】
【図１】本実施の形態による表示制御装置２およびインターフェース画面１０１を備えた画像処理装置１の概要について説明するための外観斜視図である。
【図２】本実施の形態による表示制御装置２について説明するための機能ブロック図である。
【図３】重要度情報取得部２０３にて取得される複数の表示対象物それぞれの選択頻度を示す情報と、当該選択頻度を示す情報に基づいて判定された重要度を示す図である。
【図４】制御部２０６によるインターフェース画面１０１の表示例である。
【図５】表示対象物の所属グループを選択頻度に応じて変更する例を示す図である。
【図６】図５のように変更されたグルーピングに基づいてインターフェース画面を表示させた例を示す図である。
【図７】異なる形状の輪郭を有する環状領域を組合わせたインターフェース画面の例を示す図である。
【図８】本実施の形態による表示制御装置における処理（表示制御方法）の流れについて説明するためのフローチャートである。
【符号の説明】
【００５７】
１  画像処理装置、１０１  インターフェース画面、２  表示制御装置、２０１  表示設定部、２０２  識別情報取得部、２０３  重要度情報取得部、２０４  グループ管理部、２０５  重要度判定部、２０６  制御部。
【図１】
0004819560.tif 000002
【図２】
0004819560.tif 000003
【図３】
0004819560.tif 000004
【図４】
0004819560.tif 000005
【図５】
0004819560.tif 000006
【図６】
0004819560.tif 000007
【図７】
0004819560.tif 000008
【図８】
0004819560.tif 000009